(57)【特許請求の範囲】
【請求項１】
基礎立ち上がり部及び外壁の外周に発泡プラスチック断熱材を張設した木造家屋の外張り断熱構造であって、
白蟻防止性能を有する部材を、基礎立ち上がり部の外周に設けられた発泡プラスチック断熱材の地上部分の厚み方向の全体にわたって覆うとともに、基礎立ち上がり部の外周面に当接して設けてなることを特徴とする外張り断熱構造。
【請求項２】
前記白蟻防止性能を有する部材が、銅を含む金属板からなることを特徴とする請求項１に記載の外張り断熱構造。
【請求項３】
更に、白蟻防止性能を有する部材を、基礎立ち上がり部の外周に設けられた前記発泡プラスチック断熱材の少なくとも土中部分の外周面から基礎に当接する底面に連続して設けてなることを特徴とする請求項１または２に記載の外張り断熱構造。
【請求項４】
更に、床を土間コンクリート床としてなる請求項１〜３のいずれかに記載の外張り断熱構造。
【請求項５】
更に、床を木造床組となし、床下土壌面をコンクリート押さえとしてなる請求項１〜３のいずれかに記載の外張り断熱構造。
【請求項６】
請求項１〜５のいずれかに記載の外張り断熱構造を有する木造家屋。
【発明の詳細な説明】
【０００１】
【発明の属する技術分野】
本発明は、断熱材、特に発泡プラスチック断熱材を基礎及び外壁の外周に設けた木造家屋の外張り断熱構造に関し、詳しくは白蟻防止もしくは白蟻防除のための外張り断熱構造及び当該外張り断熱構造を有する木造家屋に関する。
【０００２】
【従来の技術】
従来より木造住宅においては、高断熱・高気密性を確保し、耐久性及び住環境を向上させるために様々な対応が取られている。例えば、寒冷地住宅においては、基礎を断熱することにより床下空間を外空間から熱的に遮断し、床下空間を建物内部の空間とする基礎断熱工法が採用されるようになってきた。
【０００３】
かかる基礎断熱工法においては断熱材として発泡プラスチック断熱材が多用されている。一方、基礎断熱された住宅の白蟻被害の報告によると、発泡プラスチック断熱材自体は白蟻の餌とはならないものの、白蟻には餌と成り得る木材に含まれるセルロース、ヘミセルロースや水を求めて無作為に土中を移動する習性があり、この移動途中に発泡プラスチック断熱材が存在すればその内部を白蟻が通過することがある。このように発泡プラスチック断熱材間を白蟻が通過する場合、これを外部から直接観測することができないため白蟻の侵入を容易に発見できず、白蟻による被害を未然に防止することができないという問題があった。
【０００４】
従来、上記のような基礎断熱工法における白蟻対策としては、基礎断熱材の外側に、防蟻剤を含浸または混入したいわゆる防蟻シートを土中部分の全面に貼り、白蟻の侵入を防止するというのが一般的な工法であった。
【０００５】
また、基礎断熱工法とは異なる一般工法における白蟻対策として、実公平４−２１３７２号公報及び実公平７−３５９３２号公報には、基礎と土台の間に銅系金属板を装着し、銅の緑青の毒性によって白蟻を死滅させ、あるいは土台への侵入を防止する技術が開示されている。また、実開昭５７−１７３０８号公報及び実開昭５９−９６３５１号公報には、基礎の内周もしくは内外周に蟻返し板を配置する技術が開示されている。
【０００６】
【発明が解決しようとする課題】
しかしながら、従来の白蟻対策には以下のような問題があった。
【０００７】
（１）防蟻シートを使用する場合、通常その使用耐用年数は５年から１０年といわれており、半永久的に効力があるものではない。また、土中内部で使用することは雨水や他の微生物の影響によって、その効力は激減するものと予想され、また、環境面においても薬害による汚染の可能性もある。
【０００８】
（２）実公平４−２１３７２号公報及び実公平７−３５９３２号公報のように基礎と土台の間に銅系金属板を装着する基礎構造を基礎断熱工法に応用したとき、白蟻が基礎から土台へ直接侵入することは回避できるものの、基礎外周面の断熱材に侵入した白蟻は土台へは侵入せずに壁内に入り込み、壁の構造材へ被害をもたらすと共に、壁内から逆に土台に侵入することもあり、その防止には効果的であるとはいえない。
【０００９】
（３）実開昭５７−１７３０８号公報及び実開昭５９−９６３５１号公報のように蟻返し板を配置する方法では、蟻返し板を基礎の外周面から大きく突出させなければ十分な効果が得られないため、蟻返し板の設置に大きなスペースが必要であった。また、このように基礎の外周面から大きく突出した蟻返し板は、建物の外観を損ねると共に、建物周囲の通行時に過って破損したり、危険を伴うといった問題もある。
【００１０】
本発明は、上記事情を鑑み、基礎及び外壁の外周に発泡プラスチック断熱材を張設した木造家屋の外張り断熱構造において、耐久性、信頼性に優れ、かつ環境汚染や建物の外観を損ねるといったような問題もない白蟻対策構造を提供することを目的とする。
【００１１】
【課題を解決するための手段】
上記目的を達成すべく成された本発明の構成は以下の通りである。
【００１２】
すなわち、本発明の第１は、基礎立ち上がり部及び外壁の外周に発泡プラスチック断熱材を張設した木造家屋の外張り断熱構造であって、
白蟻防止性能を有する部材を、基礎立ち上がり部の外周に設けられた発泡プラスチック断熱材の地上部分の厚み方向の全体にわたって覆うとともに、基礎立ち上がり部の外周面に当接して設けてなることを特徴とする外張り断熱構造にある。
【００１３】
本発明の第１の外張り断熱構造においては、前記白蟻防止性能を有する部材が、銅を含む金属板からなることが好ましい。
【００１４】
上記本発明の第１の外張り断熱構造は、基礎の外周に設けた断熱材内に白蟻が侵入するのを許容するものであるが、所定の位置に設けた白蟻防止性能を有する部材によってそれ以上の侵入を防止しようとするものである。
【００１５】
本発明の第１の外張り断熱構造においては、更に、白蟻防止性能を有する部材を、基礎立ち上がり部の外周に設けられた前記発泡プラスチック断熱材の少なくとも土中部分の外周面から基礎に当接する底面に連続して設けることが好ましい。これは、白蟻防止性能を有する部材によって基礎の外周に設けた断熱材内に白蟻が侵入するのを防止しようとするものである。
【００１６】
また、更に、床を土間コンクリート床としてなること、もしくは、床を木造床組となし、床下土壌面をコンクリート押さえとしてなることも好ましい。
【００１７】
本発明の第２は、本発明の第１の外張り断熱構造を有する木造家屋にある。
【００１８】
【発明の実施の形態】
先ず、本発明の第１の外張り断熱構造について図面を参照しつつ説明する。
【００１９】
図１（ｂ）は本発明の第１の外張り断熱構造の基本的な構造例である。
【００２０】
図１（ｂ）に示すように、コンクリート基礎１の外周（基礎１の立ち上がり部の外周）及び外壁の外周には、夫々発泡プラスチック断熱材２及び６が設けられている。
【００２１】
この発泡プラスチック断熱材２及び６の材料としては、断熱性に優れ、保水性が無く、耐久性にも優れたものが望ましく、例えばポリスチレン発泡体，硬質ウレタン発泡体，フェノール発泡体等が挙げられる。かかる発泡プラスチック断熱材の厚みは地域毎の設計環境温度等から要求される断熱性能によって決められ、上記の材料を用いることにより通常は２０ｍｍ〜１００ｍｍ程度とすることができるが、これに限定されるものではない。
【００２２】
また、基礎１の外周に設けられた発泡プラスチック断熱材２の地上部分には、その厚み方向の全体を覆うように白蟻防止性能を有する部材３（以下、「白蟻防止部材３」と称す。）が設けられている。この白蟻防止部材３は、基礎１の外周面（図１（ｂ）参照）に当接して設けられる（参考例である図１（ａ）では基礎１の上面に当接して設けられている。）。尚、「白蟻防止」とは、白蟻の侵入を防ぐことであり、死滅させることまでをも意味するものではない。
【００２３】
かかる白蟻防止部材３の素材としては、少なくとも白蟻被害に耐性の材料が用いられ、例えば銅板、ステンレス鋼板、亜鉛メッキ処理鋼板及びその他の金属板（シート状のものも含む）等、もしくは熱的に有利である合成樹脂板（シート状のものも含む）等を用いることができる。合成樹脂材料を用いる場合には、実開昭５７−１７３０８号公報に記載されたようにロックウエル硬度がＲ５０以上となればより効果的である。
【００２４】
これらの材料の中でも銅板のように銅を含む金属板は、銅の緑青の毒性もしくは銅イオンの殺菌効果によって白蟻を死滅させる作用も備えており、白蟻防除が可能であるため特に好ましい。尚、「白蟻防除」とは、防止と駆除の両方であり、白蟻の侵入を防ぎさらに死滅させることを意味する。
【００２５】
白蟻防止部材３として金属板を用いる場合には、その厚さは通常０．１ｍｍ〜２ｍｍ程度であり、合成樹脂板を用いる場合には、その厚さは通常０．５ｍｍ〜５ｍｍ程度であるが、これに限定されるものではない。
【００２６】
上記のような構成を有する本発明の第１の外張り断熱構造によれば、十分な白蟻対策が実現される。この点について以下に説明する。
【００２７】
一般に白蟻は地中に棲息し、発泡プラスチック断熱材２が無い場合にはコンクリート基礎１の表面に沿って接触蟻道を形成して上昇し土台４に達し、更に土台４上の柱５まで上昇して木質部材を浸蝕して食害を発生する。かかる接触蟻道は視認できるため、白蟻による被害をある程度未然に防ぐことが可能である。
【００２８】
一方、コンクリート基礎１の外周に発泡プラスチック断熱材２を敷設すると、白蟻は土中から発泡プラスチック断熱材２内に侵入して上昇するため、外部から白蟻の侵入を発見することは困難であり、被害がより拡大する恐れがある。特に、基礎のみならず外壁部分にも外張り断熱を行うと、白蟻は外壁部分の発泡プラスチック断熱材６内を更に上昇し、柱５等を含むより広い範囲にわたって食害が発生する危険性がある。
【００２９】
これに対し上記本発明の第１の外張り断熱構造の場合には、白蟻防止部材３の片側端部はコンクリート基礎１に密着して施工されるため、発泡プラスチック断熱材２内に侵入した白蟻が土台４まで侵入するためには、コンクリート基礎１を貫通する（このケースは考えにくい）か白蟻防止部材３を乗り越えて侵入するしかない。
【００３０】
しかしながら、発泡プラスチック断熱材２内では白蟻の自由な進行が阻害されると共に、発泡プラスチック断熱材２の厚み方向の全体にわたって白蟻防止部材３が設けられているため、白蟻が白蟻防止部材３を乗り越えることは困難である。特に、白蟻防止部材３として白蟻防除機能を有する銅板等を用いた場合には、発泡プラスチック断熱材２内での白蟻の自由な進行が阻害されることと相俟って白蟻防除機能が極めて有効に働き、より一層確実に白蟻の侵入を防止できる。
【００３１】
また、前述のように、白蟻には餌と成り得る成分を求めて土中を移動する習性があり、この土中での移動途中に発泡プラスチック断熱材が存在すればその内部に侵入することはあるものの、白蟻もしくは白蟻が土中を経過せずに直接空気中より外張り断熱材に侵入した例を、本発明者は経験していない。
【００３２】
このような経験からすると、本発明のように基礎のみならず外壁の外周にも発泡プラスチック断熱材を張設した外張り断熱構造においては、発泡プラスチック断熱材への白蟻（幼虫）の侵入は、白蟻防止部材３の下方の発泡プラスチック断熱材２の内部に限られたものとなり、白蟻防止部材３の上方の発泡プラスチック断熱材の内部への侵入は考えられない。また、暗所を好む白蟻の習性からして、白蟻防止部材３に突き当たった後に、発泡プラスチック断熱材２内から外部に出ることは考えられず、さらに上記の経験からして一旦外部に出た白蟻が発泡プラスチック断熱材の外表面を上昇し、白蟻防止部材３よりも上方の発泡プラスチック断熱材の内部に再度侵入することは皆無と言ってよい。
【００３３】
さらに、白蟻には餌と成り得る成分を求めて土中を移動する習性があるものの、本発明のように外壁の外周面にも発泡プラスチック断熱材６が設けられた構造では土台４は十分に乾燥した状態が維持されているため、かかる白蟻の習性による進行を効果的に防止することができ、上記の白蟻防止部材３の作用効果と相俟って極めて信頼性の高い白蟻対策が実現されている。
【００３４】
図１に示した例では白蟻防止部材３として平板状のものを用いているが、白蟻防止部材３の形状はこれに限定されるものではなく、例えば図２に示すように断面Ｌ字状のものや、図３に示すように断面コの字状のもの等、所望の形状を選択することができる。
【００３５】
平板状の白蟻防止部材３を図１（ｂ）に示すように基礎１の外周面に接して設ける場合には、コンクリート基礎１との間に隙間が生じ易く、この隙間が白蟻の通り道となる場合がある。一方、Ｌ字状もしくはコの字状等の白蟻防止部材を用いる場合には、コンクリート基礎１と面で当接することができるため、隙間が生じる危険性が少なく、白蟻対策上好ましい。なお、Ｌ字状もしくはコの字状等の白蟻防止部材３が基礎１と密着する折り曲げ部分の幅は、２ｃｍ〜６ｃｍ程度で十分であるが、これに限定されるものではない。
【００３６】
白蟻防止部材３をコンクリート基礎１の外周面に当接させる場合には、白蟻防止部材３はコンクリート基礎１に後付けすることもできるが、発泡プラスチック断熱材２と共にコンクリートの打ち込みと同時に一体施工することが、白蟻対策上好ましい。これにより、白蟻防止部材３及び発泡プラスチック断熱材２と基礎１とをより確実に密着して施工することができ、上記の白蟻の通り道となる隙間が生じるのを防止することができる。
【００３７】
本発明の第１の外張り断熱構造において、白蟻防止部材３として金属板等の熱橋となりやすい素材を用いる場合には、図３（ｂ）に示すように白蟻防止部材３の外側を熱橋防止テープ７によって保護することが好ましい。尚、この熱橋防止テープ７も白蟻防止用のテープ（例えばイカリ薬品製／防蟻テープ）を使用すればより効果的である。
【００３８】
なお、図３（ａ）における白蟻防止部材３の外側下方への折り曲げ部分は、白蟻の通り道をより確実に塞ぎ、白蟻が白蟻防止部材３の外側を乗り越えて上方の断熱材に侵入する危険性を小さくするものである。
【００３９】
また、本発明のようにコンクリート基礎１の外周に発泡プラスチック断熱材２を設ける外張り断熱構造において、発泡プラスチック断熱材２として例えばポリスチレン発泡体のように紫外線劣化する可能性がある材料を用いる場合には、地上部分の外表面をモルタル仕上げとするか、もしくは珪酸カルシウム板，フレキシブルボード等の外装材が張設される。このような場合には、白蟻防止部材３の外周にモルタル仕上げもしくは外装材が張設されることになり、白蟻が白蟻防止部材３の外側を乗り越えて侵入する危険性は極めて小さくなる。
【００４０】
次に、本発明の外張り断熱構造の別の実施形態について図面を参照しつつ説明する。
【００４１】
図４は、参考例である。
【００４２】
図４に示すように、コンクリート基礎１及び外壁の外周には前記本発明の第１と同様、夫々発泡プラスチック断熱材２及び６が設けられ、更に発泡プラスチック断熱材２の外周面には白蟻防止性能を有する部材９（以下、「白蟻防止部材９」と称す。）が設けられている。
【００４３】
白蟻防止部材９として図４のように板状もしくはシート状の用いる場合には、前記白蟻防止部材３と同様のものを用いることができ、特に耐蝕性・耐久性に優れ且つ高い表面硬度（ロックウエル硬度がＲ５０以上）を有する硬質合成樹脂板もしくはステンレス鋼板等が特に好ましい。この合成樹脂材料としては、例えばポリカーボネート、ポリプロピレン、ＡＢＳ、ＨＩＰＳ、硬質塩化ビニル、高密度ポリエチレン、ポリエステル等が挙げられる。
【００４４】
白蟻防止部材９として例えばステンレス鋼板を用いる場合には、その厚さは通常０．１ｍｍ〜０．５ｍｍ程度であり、硬質合成樹脂板（もしくはシート）を用いる場合には、その厚さは通常０．１ｍｍ〜０．５ｍｍ程度であるが、これに限定されるものではない。
【００４５】
上記の外張り断熱構造によれば、発泡プラスチック断熱材２の土中に接触する部分に、白蟻防止部材９が一様に連続して敷設されるため、発泡プラスチック断熱材２内に白蟻が侵入するのを防止することができる。また、白蟻防止部材９として特に表面硬度の高い金属板や硬質合成樹脂板等を用いた場合には、白蟻が接触蟻道を形成することが困難となり、板状体８の表面に沿って上昇するのを防止することもできる。
【００４６】
また、図４（ａ）に示すように、発泡プラスチック断熱材２の外周面全面に白蟻防止部材９を張設した場合には、白蟻防止部材９は発泡プラスチック断熱材２の紫外線劣化防止の役割も果たすことができ、前述のようなモルタル仕上げ等を省略することができる。
【００４７】
図４（ｂ）に示すように、土中部分のみに白蟻防止部材９を張設することもできる。このような場合には、土と接しない部分（地上部分）にはラス網１０を張設することが好ましく、これによりその後の仕上げモルタル１１の施工が容易になる。なお、白蟻防止部材９及びラス網１０は、コンクリート基礎１に後付けすることなく、発泡プラスチック断熱材２と共にコンクリートの打ち込みと同時に一体施工することもできる。
【００４８】
本発明の外張り断熱構造では、図１（ｂ）等に示した白蟻防止部材３に加え、更に、図５に示すように、白蟻防止部材９を発泡プラスチック断熱材２の外周面から底面にも連続して張設することが好ましい。これにより白蟻が発泡プラスチック断熱材２内に侵入するのをより一層確実に防止することができる。この場合、図５（ａ）のように１回曲げの白蟻防止部材９を張設するよりも、図５（ｂ）のように２回曲げの白蟻防止部材９を張設するほうがより効果的である。
【００４９】
また、図５のように予め折り曲げ加工を施した白蟻防止部材９を用いる場合には、コンクリート基礎の下地に釘止めすることができ、発泡プラスチック断熱材２を自立させるように仮置きすることが可能であるし、コンクリート下地の不陸によって隙間が生じその隙間から白蟻が侵入するのを回避することも可能である。
【００５１】
図１（ｂ）等に示した白蟻防止部材３に加え、更に、図５に示したように白蟻防止部材９を発泡プラスチック断熱材２の外周面から底面にも連続して張設した場合、先の説明から理解されるように白蟻の忌避効果としては二段階の作用効果がある。すなわち、第一段階として白蟻防止部材９によって土中から発泡プラスチック断熱材２内への白蟻の侵入が防止され、たとえ白蟻が侵入したとしても第二段階として白蟻防止部材３によってそれ以上の侵入を防止でき、極めて確実に白蟻対策がなされる。
【００５２】
本発明のような基礎断熱を含めた外張り断熱においては、一般工法において形成される床下換気口は形成されないため、地表外部から床下空間に白蟻が侵入することは稀である。しかしながら、地中を通ってコンクリート基礎１の底面を越えて床下にまで侵入することが考えられる。
【００５３】
このような場合には、図６（ａ）に例示するように、床を土間コンクリート床１２とするか、図６（ｂ）に例示するように、床を木造床組１３となし、床下土壌面を、コンクリート押さえ１４とすることが好ましい。これにより、床下からの白蟻の侵入も防止することができ、総合的な白蟻対策がなされる。尚、図６は、参考例である図１（ａ）の外張り断熱構造と土間コンクリート床及び木造床組とを組み合わせた参考例であり、１５は防湿シート、１６は断熱材である。
【００５４】
以上説明した本発明の外張り断熱構造を採用した木造家屋においては、高断熱・高気密性が確保され住環境が向上されると共に、特に白蟻による土台等の被害を防止し耐久性の高い木造住宅が実現されるものである。
【００５５】
【発明の効果】
以上説明したように、本発明の外張り断熱構造よれば、耐久性、信頼性に優れ、かつ環境汚染や建物の外観を損ねるといったような問題もない白蟻防止構造が実現される。また、かかる外張り断熱構造を木造家屋に採用することによって、高断熱・高気密性の確保と共に、白蟻対策がなされた高耐久の木造住宅が実現される。
【図面の簡単な説明】
【図１】  （ａ）は参考例の外張り断熱構造、（ｂ）は本発明の第１の外張り断熱構造の一例を示す断面図である。
【図２】  本発明の第１の外張り断熱構造の別の例を示す断面図である。
【図３】  本発明の第１の外張り断熱構造の別の例を示す断面図である。
【図４】  参考例の外張り断熱構造を示す断面図である。
【図５】  本発明の第１の外張り断熱構造に付加される白蟻防止部材９の一例を示す断面図である。
【図６】  参考例である図１（ａ）の外張り断熱構造と土間コンクリート床及び木造床組と組み合わせた断面図である。
【符号の説明】
１  コンクリート基礎
２  発泡プラスチック断熱材
３  白蟻防止部材
４  土台
５  柱
６  外張壁断熱材
７  熱橋防止テープ
９  白蟻防止部材
１０  ラス網
１１  仕上げモルタル
１２  土間コンクリート床
１３  木造床組
１４  コンクリート押さえ
１５  防湿シート
１６  断熱材
【図１】
0003648060.tif 000002
【図２】
0003648060.tif 000003
【図３】
0003648060.tif 000004
【図４】
0003648060.tif 000005
【図５】
0003648060.tif 000006
【図６】
0003648060.tif 000007